(57)【要約】【課題】既存のモニタを利用した場合であっても受信状態を知ることができる放送受信装置を提供する。【解決手段】操作により受信の動作を指示する操作指示部１と、操作指示部からの指示を中継する操作指示中継部２１と、操作指示部から操作指示中継部を経由して送られてくる指示に応答して、放送波の受信状態を検出する受信状態検出部３３と、受信状態検出部で検出された受信状態の出力を指示する受信状態指示部３４と、受信状態指示部からの指示に応じて受信状態を出力する受信状態出力部２２とを備え、操作指示中継部と受信状態出力部とは同一筐体に収容されている。【選択図】図１
2007159041.tif 000002
【特許請求の範囲】
【請求項１】
操作により受信の動作を指示する操作指示部と、
前記操作指示部からの指示を中継する操作指示中継部と、
前記操作指示部から前記操作指示中継部を経由して送られてくる指示に応答して、放送波の受信状態を検出する受信状態検出部と、
前記受信状態検出部で検出された受信状態の出力を指示する受信状態指示部と、
前記受信状態指示部からの指示に応じて受信状態を出力する受信状態出力部
とを備え、
前記操作指示中継部と前記受信状態出力部とは同一筐体に収容されている
放送受信装置。
【請求項２】
操作により受信の動作を指示する操作指示部と、
前記操作指示部からの指示を中継する操作指示中継部と、
前記操作指示部から前記操作指示中継部を経由して送られてくる指示に応答して、放送波の受信状態を検出する受信状態検出部と、
前記受信状態検出部で検出された受信状態の出力を指示する受信状態指示部と、
前記受信状態指示部からの受信状態の出力の指示を前記操作指示部に中継する受信状態中継部と、
前記受信状態指示部から前記受信状態中継部を経由して送られてくる指示に応答して受信状態を出力する受信状態出力部
とを備え、
前記操作指示部と前記受信状態出力部とは同一筐体に収容されている
放送受信装置。
【請求項３】
映像を出力する映像出力部を備え、
前記映像出力部と操作指示中継部と受信状態中継部とは同一筐体に収容されている
ことを特徴とする請求項２記載の放送受信装置。
【請求項４】
受信状態出力部は、視覚情報を用いて受信状態を出力する
ことを特徴とする請求項１から請求項３のうちのいずれか１項記載の放送受信装置。
【請求項５】
受信状態出力部は、点灯と消灯とにより受信状態を出力する
ことを特徴とする請求項４記載の放送受信装置。
【請求項６】
受信状態出力部は、色により受信状態を出力する
ことを特徴とする請求項４記載の放送受信装置。
【請求項７】
受信状態出力部は、文字により受信状態を出力する
ことを特徴とする請求項４記載の放送受信装置。
【請求項８】
受信状態出力部は、図形により受信状態を出力する
ことを特徴とする請求項４記載の放送受信装置。
【請求項９】
受信状態出力部は、聴覚情報を用いて受信状態を出力する
ことを特徴とする請求項１から請求項３のうちのいずれか１項記載の放送受信装置。
【請求項１０】
受信状態出力部は、振動を用いて受信状態を出力する
ことを特徴とする請求項２または請求項３記載の放送受信装置。
【請求項１１】
映像および音声を出力する映像・音声出力部を備え、
受信状態指示部は、前記映像・音声出力部が電源投入中であれば受信状態出力部へ受信状態を出力しないよう指示する
ことを特徴とする請求項１から請求項１０のうちのいずれか１項記載の放送受信装置。
【発明の詳細な説明】
【技術分野】
【０００１】
この発明は、放送を受信する放送受信装置に関し、特に放送の受信状態をユーザに報知する技術に関する。
【背景技術】
【０００２】
従来、受信可能チャンネルおよびその受信状態の情報を簡便かつ判りやすく、視聴を邪魔することなくユーザに通知し、常に受信状態情報を提示できるようにしたデジタル放送受信装置が知られている（例えば、特許文献１参照）。このデジタル放送受信装置は、テレビ電波から受信可能チャンネルをオートチューニング検出するサーチ手段と、受信状態を検出する受信状態検出手段と、受信可能チャンネルおよび受信状態の情報を記憶するメモリと、モニタの表示画面の外側に配置された例えば複数のＬＥＤよりなる、受信可能チャンネルおよび受信状態を表示するための受信状態表示手段とを備え、受信可能チャンネル１つに対しＬＥＤを１つ点灯させ、このＬＥＤの点灯状況が受信状態を表すように、例えば、受信状態が良好であれば緑、通常であればオレンジ、悪ければ赤、不能であれば点灯せず等のように制御する。
【０００３】
【特許文献１】特開２００３−２７４３１０号公報
【発明の開示】
【発明が解決しようとする課題】
【０００４】
しかしながら、上述した従来のデジタル放送受信装置では、受信状態をモニタの表示画面外部に表示するために、特定の形式で受信状態を出力する受信装置と、その形式で受信状態を入力可能なモニタという特定の組み合わせが必要になる。このため、モニタを既に保有しているユーザは、既存のモニタの利用を諦めて新規に受信装置とモニタをセットで購入するか、既存のモニタを利用する代わりに受信状態の表示を断念せざるを得ないという問題がある。
【０００５】
この発明は上述した問題を解消するためになされたものであり、その課題は、既存のモニタを利用した場合であっても受信状態を知ることができる放送受信装置を提供することにある。
【課題を解決するための手段】
【０００６】
この発明に係る放送受信装置は、操作により受信の動作を指示する操作指示部と、操作指示部からの指示を中継する操作指示中継部と、操作指示部から操作指示中継部を経由して送られてくる指示に応答して、放送波の受信状態を検出する受信状態検出部と、受信状態検出部で検出された受信状態の出力を指示する受信状態指示部と、受信状態指示部からの指示に応じて受信状態を出力する受信状態出力部とを備え、操作指示中継部と受信状態出力部とは同一筐体に収容されている。
【発明の効果】
【０００７】
この発明によれば、操作指示中継部と受信状態出力部を同一筐体に収容して一体化したので、ユーザは操作指示部としての例えばリモコンの操作時に、リモコン受光部としての操作指示中継部と一体に形成された受信状態出力部を見ることにより放送波の受信状態を把握できる。したがって、例えば移動中で受信状態が悪い場合に受信を試みる等の無駄な操作をなくすことができる。
【発明を実施するための最良の形態】
【０００８】
以下、この発明の実施の形態を、図面を参照しながら詳細に説明する。
実施の形態１．
図１は、この発明の実施の形態１に係る放送受信装置の構成を示すブロック図である。この放送受信装置は、各々が別筐体に収容された操作指示部１、中継部２、本体部３および映像・音声出力部４から構成されている。
【０００９】
操作指示部１は、例えばリモートコントローラ（以下、「リモコン」と略する）から構成されており、複数のボタン１１を備えている。複数のボタン１１には、例えば、地上デジタル放送用の放送受信装置であれば、１〜１２の数字ボタンから成る「チャンネル切換ボタン」、番組表を表示するための「番組表ボタン」、字幕の表示／非表示等を切り替えるための「字幕ボタン」、データ放送を閲覧するための「データボタン」の他、各種操作を行うための「上下左右ボタン」、「決定ボタン」、「４色ボタン」等が含まれる。この操作指示部１は、ユーザがボタン１１を操作することによって赤外光を発生し、中継部２に向けて送信する。
【００１０】
中継部２は、操作指示中継部２１と受信状態出力部２２とから構成されている。操作指示中継部２１は、所謂、リモコン受光部であり、操作指示部１からの赤外光を受信して電気信号に変換し、操作指示信号として本体部３に送る。受信状態出力部２２は、視覚情報を用いて受信状態を出力する。例えば、受信状態出力部２２は、１個のＬＥＤ（Ｌｉｇｈｔ−Ｅｍｉｔｔｉｎｇ  Ｄｉｏｄｅ）から構成されており、本体部３から送られてくる受信状態信号にしたがって、放送波の受信状態を表示する。
【００１１】
本体部３は、操作指示入力部３１、制御部３２、放送処理部３３および受信状態指示部３４から構成されている。操作指示入力部３１は、中継部２の操作指示中継部２１から送られてくる操作指示信号を受け取って解析することにより操作指示部１のいずれのボタンが操作されたかを判断し、この判断結果を表す信号を制御部３２に送る。制御部３２は、詳細は後述するが、本体部３の各部の動作を制御する。
【００１２】
放送処理部３３は、制御部３２からの指示に応答して、例えば地上デジタル放送の放送波を受信し、この受信した放送波から番組を分離して映像信号と音声信号を再生し、制御部３２に送る。また、放送処理部３３は、この発明の受信状態検出部に対応し、受信した放送波に基づき受信状態を表す信号を生成し、制御部３２に送る。受信状態指示部３４は、制御部３２から送られてくる受信状態を表す信号に基づき受信状態信号を生成し、中継部２の受信状態出力部２２に送る。
【００１３】
映像・音声出力部４は、例えばスピーカを内蔵したモニタから構成されており、制御部３２から送られてくる映像信号および音声信号にしたがって、放送から抽出された映像と音声を出力する。
【００１４】
次に、上記のように構成される、この発明の実施の形態１に係る放送受信装置の動作を、受信状態指示部３４および受信状態出力部２２で行われる受信状態の指示処理を中心に、図２に示すフローチャートを参照しながら説明する。なお、操作指示部１、操作指示中継部２１、操作指示入力部３１、制御部３２、放送処理部３３および映像・音声出力部４の各々において行われる処理は、市販の家庭用デジタル放送受信機と概ね同様であるため、以下では説明を省略または簡略化する。
【００１５】
まず、放送受信装置の動作の概要を説明する。ユーザが操作指示部１のボタン１１を押下すると、図示しない赤外ＬＥＤから、押下されたボタン１１に応じた発光パターンで赤外光が発生され、中継部２に向けて送信される。中継部２の操作指示中継部２１は、操作指示部１からの赤外光を受光して発光パターンに応じた電気信号に変換し、操作指示信号として本体部３の操作指示入力部３１に送る。操作指示入力部３１は、操作指示中継部２１からの操作指示信号を受け取って解析し、操作指示部１のいずれのボタンが押下されたか否かを判断する。この判断結果は、操作信号として制御部３２へ送られる。
【００１６】
制御部３２は、操作指示入力部３１から送られてくる操作信号に応じて、つまりユーザが押下したボタンに応じて本体部３を制御する。例えば、ユーザが「電源」ボタンを押下した場合は、本体部３の電源がオフ状態であれば、放送処理部３３、受信状態指示部３４および映像・音声出力部４へ電源の供給を開始し、放送処理部３３および受信状態指示部３４に組み込まれているソフトウェアを初期化する。逆に、本体部３の電源がオン状態であれば、放送処理部３３および受信状態指示部３４で動作しているソフトウェアの実行を終了し、放送処理部３３、受信状態指示部３４および映像・音声出力部４への電源の供給を停止する。
【００１７】
また、例えば、ユーザが「チャンネル切換ボタン」のいずれかを押下した場合は、制御部３２は、操作指示入力部３１から送られてくる操作信号に応じて放送処理部３３に放送の受信開始を指示する。放送処理部３３は、この指示に応答して、選局回路（図示せず）を制御し、指定されたチャンネルの周波数の選択、つまり選局を行ってデジタル復調と誤り訂正を行い、ＭＰＥＧ２規格に準拠したＴＳ（Ｔｒａｎｓｐｏｒｔ  Ｓｔｒｅａｍ）を出力する。ＴＳは、多重化が分離されて映像や音声等のデータが抽出され、ＭＰＥＧデコーダ（図示せず）でデコードされて映像信号や音声信号として再生される。この映像信号および音声信号が映像・音声出力部４に送られることにより、該映像・音声出力部４から映像および音声が出力される。
【００１８】
次に、図２に示すフローチャートを参照しながら受信状態指示部３４および受信状態出力部２２によって行われる受信状態の指示処理を説明する。この実施の形態１に係る放送受信装置は、受信状態を「良」と「悪」の２段階とし、各受信状態をＬＥＤの点灯と消灯で表すようにしている。
【００１９】
まず、受信状態指示部３４は、放送処理部３３で検出されたＣ／Ｎを、制御部３２を経由して取得する（ステップＳＴ１）。Ｃ／Ｎは搬送波（Ｃａｒｒｉｅｒ）と雑音（Ｎｏｉｓｅ）の比であり、数値が大きいほど受信が良好な状態であることを表す。Ｃ／Ｎは、次式（１）で求められ、単位は［ｄＢ］で表される。ここで、ＰＣは搬送波電力［Ｗ］、ＰＮは雑音電力［Ｗ］である。
Ｃ／Ｎ＝１０＊ｌｏｇ（ＰＣ／ＰＮ）…（１）
【００２０】
次いで、受信状態指示部３４は、ステップＳＴ１で取得されたＣ／Ｎの値が所定の閾値以上であるかどうかを調べる（ステップＳＴ２）。このステップＳＴ２において、Ｃ／Ｎの値が所定の閾値以上であると判断すると、受信状態が良好である旨を認識し、受信状態出力部２２に対して受信状態が良い旨を表す受信状態信号を送ってＬＥＤ（可視光を発生する）を点灯させるように指示する。受信状態出力部２２は、受信状態指示部３４からの指示に応じてＬＥＤを点灯する（ステップＳＴ３）。これにより、ユーザは、受信状態が良いことを知ることができる。その後、シーケンスはステップＳＴ１に戻り、上述した処理が繰り返される。
【００２１】
一方、受信状態指示部３４は、上記ステップＳＴ２において、Ｃ／Ｎの値が閾値未満であると判断すると、受信状態が悪い旨を認識し、受信状態出力部２２に対して受信状態が悪い旨を表す受信状態信号を送ってＬＥＤを消灯させるように指示する。受信状態出力部２２は、受信状態指示部３４からの指示に応じてＬＥＤを消灯する（ステップＳＴ４）。これにより、ユーザは、受信状態が悪いことを知ることができる。その後、シーケンスはステップＳＴ１に戻り、上述した処理が繰り返される。
【００２２】
上記のように構成される放送受信装置においては、例えば、図３（ａ）に示すように、リモコン受光部としての中継部２は、モニタおよびスピーカを備えた映像・音声出力部４に取り付けて使用することができる。また、図３（ｂ）に示すように、リモコン受光部としての中継部２は、モニタおよびスピーカを備えた映像・音声出力部４の設置位置とは無関係に、操作指示部１としてのリモコンから見通せる任意の位置に取り付けて使用することができる。
【００２３】
以上説明したように、この発明の実施の形態１に係る放送受信装置によれば、操作指示中継部２１と受信状態出力部２２とを同一筐体に収容して一体化することにより中継部２を構成したので、ユーザは操作指示部１としてのリモコンの操作時に、リモコン受光部としての中継部２を見ることにより放送波の受信状態を把握できる。したがって、例えば移動中で受信状態が悪い場合に受信を試みる等の無駄な操作をなくすことができる。この場合、ユーザは、受信状態をＬＥＤの点灯／消灯状態により直感的に把握できるので、使い勝手に優れている。
【００２４】
実施の形態２．
この発明の実施の形態２に係る放送受信装置は、受信状態を「良」、「普通」および「悪」の３段階とし、各受信状態をＬＥＤの点灯個数で表すようにしたものである。
【００２５】
この発明の実施の形態２に係る放送受信装置の構成は、受信状態出力部２２が第１ＬＥＤおよび第２ＬＥＤといった２個のＬＥＤから構成されている点を除けば、図１に示した実施の形態１に係る放送受信装置の構成と同じである。
【００２６】
次に、この発明の実施の形態２に係る放送受信装置の動作を説明する。この放送受信装置の動作は、受信状態の指示処理が異なる点を除けば、上述した実施の形態１に係る放送受信装置の動作と同じである。以下では、実施の形態１と異なる部分を中心に説明する。図４は、実施の形態２に係る放送受信装置の受信状態指示部３４および受信状態出力部２２において実行される受信状態の指示処理を示すフローチャートである。図２に示した処理と同一または相当する処理を行うステップには、図２で使用した符号と同一の符号を付して説明を簡略化する。
【００２７】
まず、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が第１閾値以上であるかどうかを調べる（ステップＳＴ５）。ステップＳＴ５において、受信状態指示部３４は、Ｃ／Ｎの値が所定の第１閾値以上であると判断すると、次いで、Ｃ／Ｎの値が第２閾値以上であるかどうかを調べる（ステップＳＴ６）。ここで、「第２閾値＞第１閾値」である。
【００２８】
ステップＳＴ６において、受信状態指示部３４は、Ｃ／Ｎの値が第２閾値以上であると判断すると、受信状態が良好である旨を認識し、受信状態出力部２２に対して受信状態が良い旨を表す受信状態信号を送って第１ＬＥＤおよび第２ＬＥＤの両方を点灯させるように指示する。受信状態出力部２２は、受信状態指示部３４からの指示に応じて第１ＬＥＤおよび第２ＬＥＤを点灯する（ステップＳＴ７）。これにより、ユーザは、受信状態が良いことを知ることができる。その後、シーケンスはステップＳＴ１に戻り、上述した処理が繰り返される。
【００２９】
上記ステップＳＴ６において、受信状態指示部３４は、Ｃ／Ｎの値が第２閾値未満であると判断すると、受信状態が普通である旨を認識し、受信状態出力部２２に対して受信状態が普通である旨を表す受信状態信号を送って第１ＬＥＤだけを点灯させるように指示する。受信状態出力部２２は、受信状態指示部３４からの指示に応じて第１ＬＥＤだけを点灯する（ステップＳＴ８）。これにより、ユーザは、受信状態が普通であることを知ることができる。その後、シーケンスはステップＳＴ１に戻り、上述した処理が繰り返される。
【００３０】
上記ステップＳＴ５において、受信状態指示部３４は、Ｃ／Ｎの値が第１閾値未満であると判断すると、受信状態が悪い旨を認識し、受信状態出力部２２に対して受信状態が悪い旨を表す受信状態信号を送って第１ＬＥＤおよび第２ＬＥＤの両方を消灯させるように指示する。受信状態出力部２２は、受信状態指示部３４からの指示に応じて第１ＬＥＤおよび第２ＬＥＤを消灯する（ステップＳＴ９）。これにより、ユーザは、受信状態が悪いことを知ることができる。その後、シーケンスはステップＳＴ１に戻り、上述した処理が繰り返される。
【００３１】
以上説明したように、この発明の実施の形態２に係る放送受信装置によれば、ユーザは操作指示部１としてのリモコンの操作時に、リモコン受光部としての中継部２を見るだけで、受信状態を把握でき、しかも、受信状態を第１ＬＥＤおよび第２ＬＥＤの点灯／消灯状態により直感的に把握できるので、使い勝手に優れている。
【００３２】
実施の形態３．
この発明の実施の形態３に係る放送受信装置は、受信状態を「良」、「普通」および「悪」の３段階とし、各受信状態をＬＥＤの色で表すようにしたものである。
【００３３】
この発明の実施の形態３に係る放送受信装置の構成は、受信状態出力部２２が青色ＬＥＤ、黄色ＬＥＤおよび赤色ＬＥＤといった３個のＬＥＤから構成されている点を除けば、図１に示した実施の形態１に係る放送受信装置の構成と同じである。
【００３４】
次に、この発明の実施の形態３に係る放送受信装置の動作を説明する。この放送受信装置の動作は、受信状態の指示処理が異なる点を除けば、上述した実施の形態２に係る放送受信装置の動作と同じである。以下では、実施の形態２と異なる部分を中心に説明する。図５は、実施の形態３に係る放送受信装置の受信状態指示部３４および受信状態出力部２２において実行される受信状態の指示処理を示すフローチャートである。図４に示した処理と同一または相当する処理を行うステップには、図４で使用した符号と同一の符号を付して説明を簡略化する。
【００３５】
まず、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が第１閾値以上であるかどうかを調べる（ステップＳＴ５）。ステップＳＴ５において、受信状態指示部３４は、Ｃ／Ｎの値が所定の第１閾値以上であると判断すると、次いで、Ｃ／Ｎの値が第２閾値以上であるかどうかを調べる（ステップＳＴ６）。
【００３６】
ステップＳＴ６において、受信状態指示部３４は、Ｃ／Ｎの値が第２閾値以上であると判断すると、受信状態が良好である旨を認識し、受信状態出力部２２に対して受信状態が良い旨を表す受信状態信号を送って青色ＬＥＤだけを点灯させるように指示する。受信状態出力部２２は、受信状態指示部３４からの指示に応じて青色ＬＥＤだけを点灯し、他の色を消灯する（ステップＳＴ１０）。これにより、ユーザは、受信状態が良いことを知ることができる。その後、シーケンスはステップＳＴ１に戻り、上述した処理が繰り返される。
【００３７】
上記ステップＳＴ６において、受信状態指示部３４は、Ｃ／Ｎの値が第２閾値未満であると判断すると、受信状態が普通である旨を認識し、受信状態出力部２２に対して受信状態が普通である旨を表す受信状態信号を送って黄色ＬＥＤだけを点灯させるように指示する。受信状態出力部２２は、受信状態指示部３４からの指示に応じて黄色ＬＥＤだけを点灯し、他の色を消灯する（ステップＳＴ１１）。これにより、ユーザは、受信状態が普通であることを知ることができる。その後、シーケンスはステップＳＴ１に戻り、上述した処理が繰り返される。
【００３８】
上記ステップＳＴ５において、受信状態指示部３４は、Ｃ／Ｎの値が第１閾値未満であると判断すると、受信状態が悪い旨を認識し、受信状態出力部２２に対して受信状態が悪い旨を表す受信状態信号を送って赤色ＬＥＤだけを点灯させるように指示する。受信状態出力部２２は、受信状態指示部３４からの指示に応じて赤色ＬＥＤだけを点灯し、他の色を消灯する（ステップＳＴ１２）。これにより、ユーザは、受信状態が悪いことを知ることができる。その後、シーケンスはステップＳＴ１に戻り、上述した処理が繰り返される。
【００３９】
以上説明したように、この発明の実施の形態３に係る放送受信装置によれば、ユーザは操作指示部１としてのリモコンの操作時に、リモコン受光部としての中継部２を見るだけで、受信状態を把握でき、しかも、受信状態を色により直感的に把握できるので、使い勝手に優れている。
【００４０】
実施の形態４．
この発明の実施の形態４に係る放送受信装置は、受信状態を「良」、「普通」および「悪」の３段階とし、各受信状態を文字で表示するようにしたものである。
【００４１】
この発明の実施の形態４に係る放送受信装置の構成は、受信状態出力部２２がＬＣＤ（Ｌｉｑｕｉｄ  Ｃｒｙｓｔａｌ  Ｄｉｓｐｌａｙ）等といった文字を表示できる表示素子から構成されている点を除けば、図１に示した実施の形態１に係る放送受信装置の構成と同じである。
【００４２】
次に、この発明の実施の形態４に係る放送受信装置の動作を説明する。この放送受信装置の動作は、受信状態の指示処理が異なる点を除けば、上述した実施の形態２に係る放送受信装置の動作と同じである。以下では、実施の形態２と異なる部分を中心に説明する。図６は、実施の形態４に係る放送受信装置の受信状態指示部３４および受信状態出力部２２において実行される受信状態の指示処理を示すフローチャートである。図４に示した処理と同一または相当する処理を行うステップには、図４で使用した符号と同一の符号を付して説明を簡略化する。
【００４３】
まず、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が第１閾値以上であるかどうかを調べる（ステップＳＴ５）。ステップＳＴ５において、受信状態指示部３４は、Ｃ／Ｎの値が所定の第１閾値以上であると判断すると、次いで、Ｃ／Ｎの値が第２閾値以上であるかどうかを調べる（ステップＳＴ６）。
【００４４】
ステップＳＴ６において、受信状態指示部３４は、Ｃ／Ｎの値が第２閾値以上であると判断すると、受信状態が良好である旨を認識し、受信状態出力部２２に対して受信状態が良い旨を表す受信状態信号を送って「良」という文字を表示させるように指示する。受信状態出力部２２は、受信状態指示部３４からの指示に応じて「良」という文字をＬＣＤに描画する（ステップＳＴ１３）。これにより、ユーザは、受信状態が良いことを知ることができる。その後、シーケンスはステップＳＴ１に戻り、上述した処理が繰り返される。
【００４５】
上記ステップＳＴ６において、受信状態指示部３４は、Ｃ／Ｎの値が第２閾値未満であると判断すると、受信状態が普通である旨を認識し、受信状態出力部２２に対して受信状態が普通である旨を表す受信状態信号を送って「可」という文字を表示させるように指示する。受信状態出力部２２は、受信状態指示部３４からの指示に応じて「可」という文字をＬＣＤに描画する（ステップＳＴ１４）。これにより、ユーザは、受信状態が普通であることを知ることができる。その後、シーケンスはステップＳＴ１に戻り、上述した処理が繰り返される。
【００４６】
上記ステップＳＴ５において、受信状態指示部３４は、Ｃ／Ｎの値が第１閾値未満であると判断すると、受信状態が悪い旨を認識し、受信状態出力部２２に対して受信状態が悪い旨を表す受信状態信号を送って「不可」という文字を表示させるように指示する。受信状態出力部２２は、受信状態指示部３４からの指示に応じて「不可」という文字をＬＣＤに描画する（ステップＳＴ１５）。これにより、ユーザは、受信状態が悪いことを知ることができる。その後、シーケンスはステップＳＴ１に戻り、上述した処理が繰り返される。
【００４７】
以上説明したように、この発明の実施の形態４に係る放送受信装置によれば、ユーザは操作指示部１としてのリモコンの操作時に、リモコン受光部としての中継部２を見るだけで、受信状態を把握でき、しかも、受信状態を文字により明確に把握できるので、使い勝手に優れている。
【００４８】
実施の形態５．
この発明の実施の形態５に係る放送受信装置は、受信状態を「良」、「普通」および「悪」の３段階とし、各受信状態を図形で表示するようにしたものである。
【００４９】
この発明の実施の形態５に係る放送受信装置の構成は、受信状態出力部２２がＬＣＤ等といった図形を表示できる表示素子から構成されている点を除けば、図１に示した実施の形態１に係る放送受信装置の構成と同じである。
【００５０】
次に、この発明の実施の形態５に係る放送受信装置の動作を説明する。この放送受信装置の動作は、受信状態の指示処理が異なる点を除けば、上述した実施の形態２に係る放送受信装置の動作と同じである。以下では、実施の形態２と異なる部分を中心に説明する。図７は、実施の形態５に係る放送受信装置の受信状態指示部３４および受信状態出力部２２において実行される受信状態の指示処理を示すフローチャートである。図４に示した処理と同一または相当する処理を行うステップには、図４で使用した符号と同一の符号を付して説明を簡略化する。
【００５１】
まず、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が第１閾値以上であるかどうかを調べる（ステップＳＴ５）。ステップＳＴ５において、受信状態指示部３４は、Ｃ／Ｎの値が所定の第１閾値以上であると判断すると、次いで、Ｃ／Ｎの値が第２閾値以上であるかどうかを調べる（ステップＳＴ６）。
【００５２】
ステップＳＴ６において、受信状態指示部３４は、Ｃ／Ｎの値が第２閾値以上であると判断すると、受信状態が良好である旨を認識し、受信状態出力部２２に対して受信状態が良い旨を表す受信状態信号を送って「◎」という図形を表示させるように指示する。受信状態出力部２２は、受信状態指示部３４からの指示に応じて「◎」という図形をＬＣＤに描画する（ステップＳＴ１６）。これにより、ユーザは、受信状態が良いことを知ることができる。その後、シーケンスはステップＳＴ１に戻り、上述した処理が繰り返される。
【００５３】
上記ステップＳＴ６において、受信状態指示部３４は、Ｃ／Ｎの値が第２閾値未満であると判断すると、受信状態が普通である旨を認識し、受信状態出力部２２に対して受信状態が普通である旨を表す受信状態信号を送って「○」という図形を表示させるように指示する。受信状態出力部２２は、受信状態指示部３４からの指示に応じて「○」という図形をＬＣＤに描画する（ステップＳＴ１７）。これにより、ユーザは、受信状態が普通であることを知ることができる。その後、シーケンスはステップＳＴ１に戻り、上述した処理が繰り返される。
【００５４】
上記ステップＳＴ５において、受信状態指示部３４は、Ｃ／Ｎの値が第１閾値未満であると判断すると、受信状態が悪い旨を認識し、受信状態出力部２２に対して受信状態が悪い旨を表す受信状態信号を送って「×」という図形を表示させるように指示する。受信状態出力部２２は、受信状態指示部３４からの指示に応じて「×」という図形をＬＣＤに描画する（ステップＳＴ１８）。これにより、ユーザは、受信状態が悪いことを知ることができる。その後、シーケンスはステップＳＴ１に戻り、上述した処理が繰り返される。
【００５５】
以上説明したように、この発明の実施の形態５に係る放送受信装置によれば、ユーザは操作指示部１としてのリモコンの操作時に、リモコン受光部としての中継部２を見るだけで、受信状態を把握でき、しかも、受信状態を図形により直感的に把握できるので、使い勝手に優れている。
【００５６】
実施の形態６．
この発明の実施の形態６に係る放送受信装置は、受信状態を「良」、「普通」および「悪」の３段階とし、各受信状態を音声で出力するようにしたものである。
【００５７】
この発明の実施の形態５に係る放送受信装置の構成は、受信状態出力部２２が音声を再生する点を除けば、図１に示した実施の形態１に係る放送受信装置の構成と同じである。この実施の形態６における受信状態出力部２２は、聴覚情報を用いて受信状態を出力する。すなわち、受信状態出力部２２は、受信状態指示部３４からの受信状態信号に応じて音声信号を生成し、スピーカから出力する。音声信号は、例えば音声合成や、受信状態に対応させてあらかじめ記憶されている音声データを受信状態に応じて選択することにより生成することができる。
【００５８】
次に、この発明の実施の形態６に係る放送受信装置の動作を説明する。この放送受信装置の動作は、受信状態の指示処理が異なる点を除けば、上述した実施の形態２に係る放送受信装置の動作と同じである。以下では、実施の形態２と異なる部分を中心に説明する。図８は、実施の形態５に係る放送受信装置の受信状態指示部３４および受信状態出力部２２において実行される受信状態の指示処理を示すフローチャートである。図４に示した処理と同一または相当する処理を行うステップには、図４で使用した符号と同一の符号を付して説明を簡略化する。
【００５９】
まず、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が第１閾値以上であるかどうかを調べる（ステップＳＴ５）。ステップＳＴ５において、受信状態指示部３４は、Ｃ／Ｎの値が所定の第１閾値以上であると判断すると、次いで、Ｃ／Ｎの値が第２閾値以上であるかどうかを調べる（ステップＳＴ６）。
【００６０】
ステップＳＴ６において、受信状態指示部３４は、Ｃ／Ｎの値が第２閾値以上であると判断すると、受信状態が良好である旨を認識し、受信状態出力部２２に対して受信状態が良い旨を表す受信状態信号を送って「受信良好」という音声を再生させるように指示する。受信状態出力部２２は、受信状態指示部３４からの指示に応じて「受信良好」という音声をスピーカから出力する（ステップＳＴ１９）。これにより、ユーザは、受信状態が良いことを知ることができる。その後、シーケンスはステップＳＴ１に戻り、上述した処理が繰り返される。
【００６１】
上記ステップＳＴ６において、受信状態指示部３４は、Ｃ／Ｎの値が第２閾値未満であると判断すると、受信状態が普通である旨を認識し、受信状態出力部２２に対して受信状態が普通である旨を表す受信状態信号を送って「受信可能」という音声を再生させるように指示する。受信状態出力部２２は、受信状態指示部３４からの指示に応じて「受信可能」という音声をスピーカから出力する（ステップＳＴ２０）。これにより、ユーザは、受信状態が普通であることを知ることができる。その後、シーケンスはステップＳＴ１に戻り、上述した処理が繰り返される。
【００６２】
上記ステップＳＴ５において、受信状態指示部３４は、Ｃ／Ｎの値が第１閾値未満であると判断すると、受信状態が悪い旨を認識し、受信状態出力部２２に対して受信状態が悪い旨を表す受信状態信号を送って「受信不可」という音声を再生させるように指示する。受信状態出力部２２は、受信状態指示部３４からの指示に応じて「受信不可」という音声をスピーカから出力する（ステップＳＴ２１）。これにより、ユーザは、受信状態が悪いことを知ることができる。その後、シーケンスはステップＳＴ１に戻り、上述した処理が繰り返される。
【００６３】
以上説明したように、この発明の実施の形態６に係る放送受信装置によれば、ユーザは操作指示部１としてのリモコンの操作時にリモコンまたはリモコン受光部としての中継部２を見なくても音で受信状態を把握できるので、他の動作、例えば運転に集中できる。
【００６４】
実施の形態７．
この発明の実施の形態７に係る放送受信装置は、受信状態の出力を操作指示部において行うようにしたものである。
【００６５】
図９は、この発明の実施の形態７に係る放送受信装置の構成を示すブロック図である。この放送受信装置は、実施の形態１の操作指示部１が操作指示部１ａに、中継部２が中継部２ａにそれぞれ変更されて構成されている。以下では、実施の形態１と異なる部分を中心に説明する。
【００６６】
操作指示部１ａは、実施の形態１の操作指示部１に、受信状態出力部２２ａが追加されて構成されている。受信状態出力部２２ａは、実施の形態１に係る放送受信装置の中継部２に備えられていた受信状態出力部２２に対応するものであり、例えばバイブレータから構成されている。この受信状態出力部２２ａは、中継部２ａから送信されてくる赤外光を受信し、放送波の受信状態をバイブレータの振動によって出力する。
【００６７】
中継部２ａは、実施の形態１の中継部２における受信状態出力部２２が受信状態中継部２３に置き換えられて構成されている。受信状態中継部２３は、本体部３からの受信状態信号にしたがって赤外光を発生し、操作指示部１ａの受信状態出力部２２ａに向けて送信する。
【００６８】
次に、上記のように構成される、この発明の実施の形態７に係る放送受信装置の動作を説明する。この放送受信装置の動作は、受信状態の指示処理が異なる点を除けば、上述した実施の形態１に係る放送受信装置の動作と同じである。以下では、実施の形態１と異なる部分を中心に説明する。図１０は、実施の形態７に係る放送受信装置の受信状態指示部３４、受信状態中継部および受信状態出力部２２ａにおいて実行される受信状態の指示処理を示すフローチャートである。図２に示した処理と同一または相当する処理を行うステップには、図２で使用した符号と同一の符号を付して説明を簡略化する。
【００６９】
まず、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が所定の閾値以上であるかどうかを調べる（ステップＳＴ２）。このステップＳＴ２において、Ｃ／Ｎの値が所定の閾値以上であると判断すると、受信状態が良好である旨を認識し、受信状態が良いことを表す受信状態信号を受信状態中継部２３に送る。
【００７０】
受信状態中継部２３は、受信状態指示部３４からの受信状態信号に応じて赤外ＬＥＤを駆動する。これにより、受信状態が良いことを示す発光パターンの赤外光が発生されて操作指示部１ａの受信状態出力部２２ａに送信される。受信状態出力部２２ａは赤外線を受光して電気信号に変換し、受信状態が良いことを示しているためにバイブレータを起動する（ステップＳＴ２２）。これにより、バイブレータが振動するので、ユーザは、受信状態が良いことを知ることができる。その後、シーケンスはステップＳＴ１に戻り、上述した処理が繰り返される。
【００７１】
一方、受信状態指示部３４は、上記ステップＳＴ２において、Ｃ／Ｎの値が閾値未満であると判断すると、受信状態が悪い旨を認識し、受信状態が悪いことを表す受信状態信号を受信状態中継部２３に送る。受信状態中継部２３は、受信状態指示部３４からの受信状態信号に応じて赤外ＬＥＤを駆動する。これにより、受信状態が悪いことを示す発光パターンの赤外光が発生されて操作指示部１ａの受信状態出力部２２ａに送信される。受信状態出力部２２ａは赤外線を受光して電気信号に変換し、受信状態が悪いことを示しているためにバイブレータを停止する（ステップＳＴ２３）。これにより、バイブレータが振動しないので、ユーザは、受信状態が悪いことを知ることができる。その後、シーケンスはステップＳＴ１に戻り、上述した処理が繰り返される。
【００７２】
以上説明したように、この発明の実施の形態７に係る放送受信装置によれば、操作指示部１ａと受信状態出力部２２ａとを一体化して操作指示部１ａを構成したので、ユーザは操作指示部１ａとしてのリモコンの操作時に、リモコンを見なくても振動により放送波の受信状態を把握できるので、例えば移動中で受信状態が悪い場合に受信を試みる等の無駄な操作をなくすことができるとともに、他の動作、例えば運転に集中できる。
【００７３】
実施の形態８．
この発明の実施の形態８に係る放送受信装置は、中継部２ａを映像・音声出力部４の内部に設置したものである。映像・音声出力部４は、この発明の映像出力部に対応する。
【００７４】
図１１は、この発明の実施の形態８に係る放送受信装置の構成を示すブロック図である。この放送受信装置の構成は、中継部２ａを映像・音声出力部４の内部に設置されている点を除けば、実施の形態７に係る放送受信装置と同じである。また、この発明の実施の形態８に係る放送受信装置の動作は、実施の形態７に係る放送受信装置の動作と同じである。
【００７５】
以上説明したように、この発明の実施の形態８に係る放送受信装置によれば、リモコン受光部としての操作指示中継部２１および受信状態中継部２３を映像・音声出力部４を構成する例えばモニタと一体化することにより、放送受信装置の構成が簡単化できるので設置が容易になる。
【００７６】
実施の形態９．
この発明の実施の形態９に係る放送受信装置は、映像・音声出力部の電源がオンにされていないときにのみ、受信状態を出力するようにしたものである。
【００７７】
この発明の実施の形態９に係る放送受信装置の構成は、図１に示した実施の形態１に係る放送受信装置の構成と同じである。
【００７８】
次に、上記のように構成される、この発明の実施の形態９に係る放送受信装置の動作を説明する。この放送受信装置の動作は、映像・音声出力部の電源がオンにされていない時にのみ受信状態を出力する点を除けば、上述した実施の形態１に係る放送受信装置の動作と同じである。以下では、実施の形態１と異なる部分を中心に説明する。図１２は、実施の形態９に係る放送受信装置の受信状態指示部３４および受信状態出力部２２ａにおいて実行される受信状態の指示処理を示すフローチャートである。図２に示した処理と同一または相当する処理を行うステップには、図２で使用した符号と同一の符号を付して説明を簡略化する。
【００７９】
まず、受信状態指示部３４は、制御部３２から映像・音声出力部４の電源状態を取得する（ステップＳＴ２４）。次いで、受信状態指示部３４は、映像・音声出力部４の電源がオンであるかどうかを調べる（ステップＳＴ２５）。このステップＳＴ２５において、電源がオンであることが判断されると、受信状態に応じた映像が表示されるので、受信状態指示部３４は受信状態を指示せずに、シーケンスはステップＳＴ２４に戻り、再度、上述した処理が実行される。一方、ステップＳＴ２５において、電源がオンでないことが判断されると、受信状態指示部３４は受信状態を指示するためにステップＳＴ１へ進む。
【００８０】
すなわち、受信状態指示部３４は、放送処理部３３で検出されたＣ／Ｎを、制御部３２を経由して取得する（ステップＳＴ１）。次いで、受信状態指示部３４は、ステップＳＴ１で取得されたＣ／Ｎの値が所定の閾値以上であるかどうかを調べる（ステップＳＴ２）。このステップＳＴ２において、Ｃ／Ｎの値が所定の閾値以上であると判断すると、受信状態が良好である旨を認識し、受信状態出力部２２ａに対して受信状態が良い旨を表す受信状態信号を送ってＬＥＤ（可視光を発生する）を点灯させるように指示する。受信状態出力部２２ａは、受信状態指示部３４からの指示に応じてＬＥＤを点灯する（ステップＳＴ３）。これにより、ユーザは、受信状態が良いことを知ることができる。その後、シーケンスはステップＳＴ２４に戻り、上述した処理が繰り返される。
【００８１】
一方、受信状態指示部３４は、上記ステップＳＴ２において、Ｃ／Ｎの値が閾値未満であると判断すると、受信状態が悪い旨を認識し、受信状態出力部２２ａに対して受信状態が悪い旨を表す受信状態信号を送ってＬＥＤを消灯させるように指示する。受信状態出力部２２ａは、受信状態指示部３４からの指示に応じてＬＥＤを消灯する（ステップＳＴ４）。これにより、ユーザは、受信状態が悪いことを知ることができる。その後、シーケンスはステップＳＴ２４に戻り、上述した処理が繰り返される。
【００８２】
以上説明したように、この発明の実施の形態９に係る放送受信装置によれば、映像・音声出力部４を構成する例えばモニタの電源投入中は映像が表示されているので、ユーザはモニタを見れば受信状態を一目で把握できる。したがって、モニタの電源投入中に受信状態出力部２２ａは受信状態を表示しないので、放送受信装置の消費電力を低減できる。
【００８３】
なお、上述した実施の形態１〜９においては、受信状態を判定する情報としてＣ／Ｎを用いたが、放送処理部３３の選局回路では以下の（１）および（２）に示す情報も取得できるので、Ｃ／Ｎに代えてこれらを用いて受信状態を判定するように構成することができ、この場合も上述した効果と同様の効果が得られる。
【００８４】
（１）ビット誤り率（ＢＥＲ：Ｂｉｔ  Ｅｒｒｏｒ  Ｒａｔｅ）：ランダムなデジタル・データを伝送し、復調した際に、送ったデータの中での誤りデータの比率。ＢＥＲ＝１０−９の場合，１０の９乗個のデータを送ると１個の間違いがあることを意味する。この程度のＢＥＲを得るためには信号のＳ／Ｎ（Ｓｉｇｎａｌ  Ｎｏｉｓｅ  Ｒａｔｅ）が１６ｄＢ程度必要である。
（２）受信電力：選局したチャンネルの周波数帯における受信電力［Ｗ］。チャンネル内で受信される搬送波電力と信号電力と雑音電力の総和。
【００８５】
また、受信状態を判定する情報として、Ｃ／Ｎ、ビット誤り率および受信電力の少なくとも２つを組み合わせた情報を用いるように構成することもできる。
【００８６】
また、上述した実施の形態２〜６に係る放送受信装置の構成は、実施の形態１に係る放送受信装置と同じであるものとしたが、実施の形態２〜６における受信状態の指示処理と実施の形態７に係る放送受信装置の構成（図９）または実施の形態８に係る放送受信装置の構成（図１１）と組み合わせて放送受信装置を実現することもできる。
【００８７】
また、上述した実施の形態７に係る放送受信装置の構成は、図９に示す構成としたが、実施の形態７における受信状態の指示処理と実施の形態１に係る放送受信装置の構成（図１）または実施の形態８に係る放送受信装置の構成（図１１）を組み合わせて放送受信装置を実現することもできる。
【００８８】
また、上述した実施の形態８に係る放送受信装置では、受信状態の指示処理が実施の形態７に係る放送受信装置のそれと同様であるものとしたが、実施の形態１〜６に係る放送受信装置における受信状態の指示処理と同様とすることもできる。
【００８９】
また、上述した実施の形態９に係る放送受信装置では、実施の形態１に係る放送受信装置の構成（図１）と同様であるとしたが、実施の形態９に係る放送受信装置における受信状態の指示処理と実施の形態１〜８に係る放送受信装置の構成（図１、図９、図１１）とを組み合わせて放送受信装置を実現することもできる。
【００９０】
また、上述した実施の形態１〜９に係る放送受信装置では、本体部３と映像・音声出力部４を別体とした構成について説明したが、これらを一体化して構成することもできる。また、上述した実施の形態１〜９に係る放送受信装置では、受信状態を２段階または３段階としたが、さらに多くの段階に分けることもできる。
【００９１】
さらに、上述した実施の形態１〜９に係る放送受信装置では、地上デジタル放送を受信する例について説明したが、ＢＳデジタル放送、１１０゜ＣＳデジタル放送、デジタルラジオ放送等の他のデジタル放送に適用することもできる。また、受信感度をＣ／Ｎや受信電力によって判断するように構成すれば、アナログＴＶ等のアナログ放送に適用することも可能である。
【図面の簡単な説明】
【００９２】
【図１】この発明の実施の形態１に係る放送受信装置の構成を示すブロック図である。
【図２】この発明の実施の形態１に係る放送受信装置における受信状態の指示処理を示すフローチャートである。
【図３】この発明の実施の形態１に係る放送受信装置の使用形態を説明するための図である。
【図４】この発明の実施の形態２に係る放送受信装置における受信状態の指示処理を示すフローチャートである。
【図５】この発明の実施の形態３に係る放送受信装置における受信状態の指示処理を示すフローチャートである。
【図６】この発明の実施の形態４に係る放送受信装置における受信状態の指示処理を示すフローチャートである。
【図７】この発明の実施の形態５に係る放送受信装置における受信状態の指示処理を示すフローチャートである。
【図８】この発明の実施の形態６に係る放送受信装置における受信状態の指示処理を示すフローチャートである。
【図９】この発明の実施の形態７に係る放送受信装置の構成を示すブロック図である。
【図１０】この発明の実施の形態７に係る放送受信装置における受信状態の指示処理を示すフローチャートである。
【図１１】この発明の実施の形態８に係る放送受信装置の構成を示すブロック図である。
【図１２】この発明の実施の形態９に係る放送受信装置における受信状態の指示処理を示すフローチャートである。
【符号の説明】
【００９３】
１，１ａ  操作指示部、２，２ａ  中継部、３  本体部、４  映像・音声出力部（映像出力部）、１１  ボタン、２１  操作指示中継部、２２，２２ａ  受信状態出力部、３１  操作指示入力部、３２  制御部、３２，３３  放送処理部（受信状態検出部）、３４  受信状態指示部。
【図１】
2007159041.tif 000003
【図２】
2007159041.tif 000004
【図３】
2007159041.tif 000005
【図４】
2007159041.tif 000006
【図５】
2007159041.tif 000007
【図６】
2007159041.tif 000008
【図７】
2007159041.tif 000009
【図８】
2007159041.tif 000010
【図９】
2007159041.tif 000011
【図１０】
2007159041.tif 000012
【図１１】
2007159041.tif 000013
【図１２】
2007159041.tif 000014